【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
プロセス制御システムのノードに対するソフトウェア更新またはアップグレードの展開および管理の方法であって、
前記プロセス制御システムのノードの構成に該当する更新またはアップグレードの少なくとも一つを特定し、
プロセス制御システムへのダウンロードのために、前記更新またはアップグレードの少なくとも一つのためのソフトウェアと、前記プロセス制御システムの一以上のノードへの前記ソフトウェアの適用可能性を示す前記ソフトウェア用メタデータとを準備し、
プロセス制御システムの一以上のノードと通信するワークステーションを介して、前記メタデータに基づき、プロセス制御システムの一以上のノードへのソフトウェアの自動インストールの実施を支援すること、
を含む方法。
【請求項２】
ユーザ入力に基づいて、前記プロセス制御システムの一以上のノードに対し前記ソフトウェアをダウンロード及びインストールする際の自動化の程度を所望に応じて構成することを更に含む、請求項１に記載の方法。
載の方法。
【請求項３】
前記ソフトウェアの自動インストールの実施を支援することは、前記ソフトウェアと共にダウンロードされたメタデータに従って、前記プロセス制御システムの一以上のノードへとソフトウェアを自動的にインストールすることを含む、請求項１又は２に記載の方法。
【請求項４】
前記一以上のノードが、コントローラ、バルブ、センサまたは通信バスの少なくとも一つを含む、請求項１〜３の何れか１項に記載の方法。
【請求項５】
前記更新またはアップグレードの少なくとも一つが、システムセキュリティ、ウイルス防護ソフト、オペレーティングシステムまたはディジタルオートメーション・システム操作の少なくとも一つに関係する、請求項１〜４の何れか１項に記載の方法。
【請求項６】
前記ダウンロードのための準備には、ワークステーションに自動的に前記ソフトウェアをダウンロードすることを含む、請求項１〜５の何れか１項に記載の方法。
【請求項７】
前記ソフトウェアの自動インストールの実施を支援することは更に、ソフトウェアインストールのユーザ承認用インターフェースを表示することを含む、請求項１〜６の何れか１項に記載の方法。
【請求項８】
前記インターフェースが、前記ソフトウェアの自動インストール時間をユーザが選択することを可能にする、請求項７に記載の方法。
【請求項９】
前記インターフェースが、前記プロセス制御システムにおける一グループのノードへの前記ソフトウェアの自動インストールをユーザが承認することを可能にする、請求項７に記載の方法。
【請求項１０】
一個のノード、一式の関連するノード、一式のノードのネットワークの少なくとも一つに従って、前記プロセス制御システムの一以上のノードをグループに分けることを更に含む、請求項１〜９の何れか１項に記載の方法。
【請求項１１】
前記ソフトウェアの自動インストールの実施を支援することは更に、前記グループ分けに基づいて、前記一以上のノードへの前記ソフトウェアの自動インストールの実施を支援することを含む、請求項１０に記載の方法。
【請求項１２】
前記ソフトウェアのインストールによりもたらされる前記プロセス制御システムのサービス中断に関してユーザに警報を出すことを更に含む、請求項１〜１１の何れか１項に記載の方法。
【請求項１３】
プロセス制御システムにおけるノードへとソフトウェア更新またはアップグレードを展開させる装置であって、
プロセス制御システムの構成に基づいて更新またはアップグレードの少なくとも一つを特定するサービスマネジメントシステムであって、前記更新またはアップグレードの少なくとも一つに関するソフトウェアおよびサポート情報を、プロセス制御システムにおけるユーザ指定の宛先へとユーザによる始動なしに提供するソフトウェア配信サービスを利用して、プロセス制御システムにおける一以上のノードに対する更新またはアップグレードの少なくとも一つを提供する、サービスマネジメントシステムと、
前記プロセス制御システムにおけるユーザ指定の宛先に設けられ、ユーザにより構成可能なある程度の自動化を含むソフトウェア展開マネージャであって、前記サポート情報および前記プロセス制御システムの構成に基づいて、前記ソフトウェア配信サービスから前記プロセス制御システムにおける一以上のノードにソフトウェアをダウンロードおよびインストールする、ソフトウェア展開マネージャと、
を備える装置。
【請求項１４】
前記サポート情報が、前記プロセス制御システムの一以上のノードに対する前記ソフトウェアの適用可能性を示すソフトウェア用メタデータを含む、請求項１３に記載の装置。
【請求項１５】
前記ソフトウェア展開マネージャが、ソフトウェアのダウンロードおよびインストールの少なくとも一つへのユーザ承認のためのインターフェースを表示する、請求項１３に記載の装置。
【請求項１６】
前記インターフェースが、前記ソフトウェアの自動インストール時間をユーザが選択することを可能にする、請求項１５に記載の装置。
【請求項１７】
前記インターフェースが、前記プロセス制御システムにおける一グループのノードへの前記ソフトウェアの自動インストールをユーザが承認することを可能にする、請求項１５に記載の装置。
【請求項１８】
前記ソフトウェア展開マネージャが、前記ソフトウェアのインストールによりもたらされる前記プロセス制御システムのサービス中断に関してユーザに警報を出す、請求項１３〜１７の何れか１項に記載の装置。
【請求項１９】
一以上のノードが、コントローラ、バルブ、センサまたは通信バスの少なくとも一つを含む、請求項１３〜１８の何れか１項に記載の装置。
【請求項２０】
前記更新またはアップグレードの少なくとも一つが、システムセキュリティ、ウイルス防護ソフト、オペレーティングシステムまたはディジタルオートメーション・システム操作の少なくとも一つに関係する、請求項１３〜１９の何れか１項に記載の装置。
【請求項２１】
プロセス制御システムの一以上のノードについて一以上の保留中のソフトウェア更新およびアップグレードを表示するための、グラフィカルユーザインタフェースを介して第１の表示領域を表示し、前記一以上の保留中のソフトウェア更新およびアップグレードは、前記プロセス制御システムの構成に基づいてソフトウェア配信サービスから自動的に受け取られ、
前記プロセス制御システムに対して一以上のノード群を構成するためのユーザ入力を受け入れ、
前記一以上の保留中のソフトウェア更新およびアップグレードに関する処置を承認するためのユーザ入力を受け入れ、
前記ユーザ入力および前記プロセス制御システムの構成に従って、前記一以上の保留中のソフトウェア更新およびアップグレードのダウンロードおよびインストールの実施を支援すること、
を含む方法。
【請求項２２】
前記一以上の保留中のソフトウェア更新およびアップグレードのダウンロードおよびインストールの実施を支援することは、前記一以上の保留中のソフトウェア更新およびアップグレードと共にダウンロードされたメタデータに従って、前記一以上の保留中のソフトウェア更新およびアップグレードを前記プロセス制御システムの一以上のノードへと自動的にインストールすることを含む、請求項２１に記載の方法。
【請求項２３】
前記一以上のノードが、コントローラ、バルブ、センサまたは通信バスの少なくとも一つを含む、請求項２１又は２２に記載の方法。
【請求項２４】
前記一以上の保留中のソフトウェア更新およびアップグレードが、システムセキュリティ、ウイルス防護ソフト、オペレーティングシステムまたはディジタルオートメーション・システム操作の少なくとも一つに関係する、請求項２１〜２３の何れか１項に記載の方法。
【請求項２５】
前記一以上の保留中のソフトウェア更新およびアップグレードに関する処置を承認するためのユーザ入力を受け入れることにより、ユーザがソフトウェアの自動インストール時間を選択することが可能になる、請求項２１〜２４の何れか１項に記載の方法。
【請求項２６】
前記プロセス制御システムに対して前記一以上のノード群を構成するためのユーザ入力を受け入れることは、前記プロセス制御システムの一以上のノードに対する前記一以上の保留中のソフトウェア更新およびアップグレードのダウンロードおよびインストールに対して所望の度合いの自動化を構成することを含む、請求項２１〜２５の何れか１項に記載の方法。